(57)【要約】【課題】  店舗外から店舗内に入った瞬間に暗く感じることなく点灯制御できるとともに、精算手段の操作に適した照度を確保でき、さらには省エネルギー化も図ることができる店舗内照明制御システムを提供する。【解決手段】  入口を介して人の出入りがある店舗内に配置された複数の照明器具Ｌａ１〜Ｌａ３と、照明器具Ｌａ１〜Ｌａ３を点灯制御する中央制御装置１および点灯制御装置２とを備え、中央制御装置１および点灯制御装置２は、店舗内のレジスタ近傍の照度がレジスタ操作に適した所定照度となるように各照明器具Ｌａ１〜Ｌａ３を制御するとともに、入口から店舗内に入った人が店舗の奥に向かって進む動線に沿って照度が漸減するように各照明器具Ｌａ１〜Ｌａ３を制御する。【選択図】図１
2010033779.tif 000002
【特許請求の範囲】
【請求項１】
入口から人が入ってくる店舗内に配置された複数の照明器具と、照明器具を点灯制御する制御手段とを備え、
制御手段は、店舗内の精算手段近傍の照度が精算手段の操作に適した所定照度となるように各照明器具を制御するとともに、入口から店舗内に入った人が店舗の奥に向かって進む動線に沿って照度が漸減するように各照明器具を制御することを特徴とする店舗内照明制御システム。
【請求項２】
店舗の外を照射する外光を検知する外光検知手段を備え、前記制御手段は、外光検知手段の検知結果に基づいて照明器具を点灯制御することを特徴とする請求項１記載の店舗内照明制御システム。
【請求項３】
前記精算手段近傍を照明する照明器具は、第１の照明器具と第２の照明器具とで構成され、前記制御手段は、第１の照明器具に対しては、入口から店舗内に入った人が店舗の奥に向かって進む動線に沿って照度が漸減するように制御し、第２の照明器具に対しては、第１の照明器具の出力と併せて精算手段近傍の照度が前記所定照度となるように制御することを特徴とする請求項１または２記載の店舗内照明制御システム。
【発明の詳細な説明】
【技術分野】
【０００１】
本発明は、店舗内照明制御システムに関するものである。
【背景技術】
【０００２】
従来、店舗内の照明器具を点灯制御する照明制御システムとして、店舗の出入口付近の人体の存在を検知する人感センサと、店舗内における人体の存在を検知する人感センサとを備えて、各人感センサの出力に基づいて店舗内の照明器具を点灯制御するものがある（例えば、特許文献１参照）。
【特許文献１】特開２００７−５２６１号公報
【発明の開示】
【発明が解決しようとする課題】
【０００３】
しかしながら、店舗内の照明器具を点灯制御する照明制御システムでは、店舗内の明るさが店舗外より暗いことが通常であるため、入口から店舗内に入った瞬間に目の順応が間に合わず、暗く感じてしまうという問題があった。また、この対策として、店舗内の照明を常時、過度に施すことは省エネルギーの観点から好ましいものではない。
【０００４】
さらには、通常、出入口周辺に配置されるレジスタ（精算手段）近傍の照度は、レジスタ操作のために一定以上の照度を確保する必要がある。
【０００５】
本発明は、上記事由に鑑みてなされたものであり、その目的は、店舗外から店舗内に入った瞬間に暗く感じることなく点灯制御できるとともに、精算手段の操作に適した照度を確保でき、さらには省エネルギー化も図ることができる店舗内照明制御システムを提供することにある。
【課題を解決するための手段】
【０００６】
請求項１の発明は、入口から人が入ってくる店舗内に配置された複数の照明器具と、照明器具を点灯制御する制御手段とを備え、制御手段は、店舗内の精算手段近傍の照度が精算手段の操作に適した所定照度となるように各照明器具を制御するとともに、入口から店舗内に入った人が店舗の奥に向かって進む動線に沿って照度が漸減するように各照明器具を制御することを特徴とする。
【０００７】
この発明によれば、客が入口から店舗内に入った瞬間に目の順応が十分間に合って、店舗外から店舗内に入った瞬間に暗く感じることなく点灯制御できるとともに、精算手段の操作に適した照度を確保でき、さらには省エネルギー化も図ることができる。
【０００８】
請求項２の発明は、請求項１において、店舗の外を照射する外光を検知する外光検知手段を備え、前記制御手段は、外光検知手段の検知結果に基づいて照明器具を点灯制御することを特徴とする。
【０００９】
この発明によれば、外光の影響を考慮して店舗内の照明器具を点灯制御するので、店舗内に入った瞬間の目の順応と省エネルギー化とを、さらに精度よく両立することができる。
【００１０】
請求項３の発明は、請求項１または２において、前記精算手段近傍を照明する照明器具は、第１の照明器具と第２の照明器具とで構成され、前記制御手段は、第１の照明器具に対しては、入口から店舗内に入った人が店舗の奥に向かって進む動線に沿って照度が漸減するように制御し、第２の照明器具に対しては、第１の照明器具の出力と併せて精算手段近傍の照度が前記所定照度となるように制御することを特徴とする。
【００１１】
この発明によれば、精算手段の操作に適した照度を確実に確保できる。
【発明の効果】
【００１２】
以上説明したように、本発明では、舗外から店舗内に入った瞬間に暗く感じることなく点灯制御できるとともに、精算手段の操作に適した照度を確保でき、さらには省エネルギー化も図ることができるという効果がある。
【発明を実施するための最良の形態】
【００１３】
以下、本発明の実施の形態を図面に基づいて説明する。
【００１４】
（実施形態１）
図２は、本実施形態の店舗Ａ内における照明器具の配置を示す。店舗Ａ内は略直方体の空間を形成しており、客が出入りする出入口Ｄ１，Ｄ２は窓面Ｃのある壁面Ｗ１の両端に各々配置され、窓面Ｃから店舗Ａ内には、窓Ｃを介して外光が入射している。そして、出入口Ｄ１，Ｄ２のある壁面Ｗ１から、店舗Ａの奥の壁面Ｗ２（壁面Ｗ１に対向する面）に向かって陳列スペースＳが設けられており、出入口Ｄ１，Ｄ２から陳列スペースＳの両側に沿って客の動線Ｍが形成される。具体的には、店舗Ａ外から出入口Ｄ１を通って店舗Ａ内に入った客は、陳列スペースＳの一辺に沿って奥の壁面Ｗ２に向かい、奥の壁面Ｗ２に沿って陳列スペースＳの他辺側に達した後、陳列スペースＳの他辺に沿って出入口Ｄ２に向かい、出入口Ｄ２付近のレジスタＲ（精算手段）で商品を精算した後、出入口Ｄ２から店舗Ａ外へ出る。または、出入口Ｄ２を通って店舗Ａ内に入って、上記とは逆の経路で陳列スペースＳに沿って進み、出入口Ｄ１付近のレジスタＲで商品を精算した後、出入口Ｄ１から店舗Ａ外へ出る場合もある。
【００１５】
このような店舗Ａでは、その天井面Ｗ３に照明器具が設置されており、出入口Ｄ１，Ｄ２のある壁面Ｗ１からレジスタＲ周辺までのレジ部スペースＢ１を照明する複数の照明器具Ｌａ１と、レジスタＲ周辺から店舗Ａの奥に向かうまでの中央部スペースＢ２を照明する複数の照明器具Ｌａ２と、店舗Ａの奥周辺の奥部スペースＢ３を照明する複数の照明器具Ｌａ３とで構成されている。レジ部スペースＢ１を照明する照明器具Ｌａ１は、出入口通路やレジスタＲ等において、歩行や商品の精算に必要な基本的な明るさを提供する。中央部スペースＢ２を照明する照明器具Ｌａ２は、陳列スペースＳがある売り場内に設置されて、客の目を引き付ける効果を与えたり、商品の特徴を表現する役割を果たす。奥部スペースＢ３を照明する照明器具Ｌａ３は、陳列スペースＳがある売り場内に設置されて、商品の特徴を表現したり、壁面や柱面を照明して空間の明るさ感を提供する。ここで、窓からの距離Ｘ［ｍ］とすると、レジ部スペースＢ１の最遠距離をＸ１、中央部スペースＢ２の最遠距離をＸ２、奥部スペースＢ３の最遠距離をＸ３とする。
【００１６】
まず、人の目は、照度が数万［ｌｘ］の屋外環境に順応している状態から、照度が数百［ｌｘ］の店舗Ａ内に入った場合、ある程度の時間が経過すると店舗Ａ内の明るさに順応する（参考文献１：急激な明暗変化に対する緩和照明について、照明学会誌、第４７巻第１０号、１９６３、Ｐ４４８〜４９６、蒲山久夫）。この参考文献１の骨子は、屋外（店舗Ａ外）から屋内（店舗Ａ内）に移動した場合に、明るさの印象のみではなく、店舗Ａ内の情報を入手するために、視力保持を行うのに必要な生理的な条件（明るさ）を満足するための照明要件を求めている。
【００１７】
本発明では、参考文献１における視力の保持実験結果を活用して
（１）屋外の明るさを検知する。
（２）歩行の速度の標準値を基にして、順応時間を店舗Ａ内の窓Ｃからの距離に変換する。
（３）（２）の窓Ｃからの距離に応じた目の順応輝度を求め、各距離における照度を店舗Ａ内の反射率に応じて実現する手法を提供する。
（４）具体的には、図５に示すような店舗内反射率をパラメータとする制御曲線を求め、制御曲線にしたがって、窓からの距離Ｘ［ｍ］に配置された照明器具Ｌａ１〜Ｌａ３を各々調光する。
ことを要旨としており、以下、本実施形態の店舗内照明制御システムによる点灯制御について詳述する。
【００１８】
まず、日本（北緯３５度）における全天空照度の累積出現率を図３に示す（参考文献２：昼光利用照明設計に関する研究（その１）、照明学会誌、第６７巻第１０号、１９７８、Ｐ４３８〜４９６、大野他）。日本における全天空照度は、図３の累積出現率の範囲内で発生し、この全天空照度の状態から、周辺の舗装、建築物の反射率を完全拡散面と仮定すると、
初期順応輝度＝反射率×全天空照度／π  ………  （式１）
によって初期順応輝度に変換でき、屋外の人の目は、この初期順応輝度に順応している。例えば、昼間の全天空照度（昼光照度）を１５０００［ｌｘ］とし、周辺の舗装や建築物の反射率を０．３程度とすると、この環境下における人の目の初期順応輝度は１５００［ｃｄ／ｍ２］となる。
【００１９】
また図４には、上記参考文献１に記載されている屋内における順応輝度の測定例を示す。参考文献１では、屋外で人の目が順応している初期順応輝度の様々な値（■：１５００［ｃｄ／ｍ２］、◆：７５０［ｃｄ／ｍ２］、▲：２５０［ｃｄ／ｍ２］、□：１３０［ｃｄ／ｍ２］、×：６４［ｃｄ／ｍ２］、△：２５［ｃｄ／ｍ２］）に対して、屋外から屋内に入ってからの経過時間と、そのときの順応輝度（視野内の輝度）との関係が示されており、屋外から屋内に入ってからの時間が経過するにつれて、順応輝度は徐々に低下していく。
【００２０】
そして、昼光照度が１５０００［ｌｘ］、出入口Ｄ（以後、出入口Ｄ１，Ｄ２を区別しないときは出入口Ｄと称す）を通って店舗Ａに入る直前の客の初期順応輝度を１５００［ｃｄ／ｍ２］とし、店舗Ａ内の反射率ρを０．１（△）、０．２（○）、０．５（◇）の各値とした場合について、店舗Ａ内で客が視力を維持するために必要な所要照度Ｅ（以降、緩和照度Ｅと称す）の試算結果を、窓Ｃからの距離Ｘ［ｍ］に対応させて図５に示す。なお図５では、人の歩く速さを約１．０（ｍ／秒）と仮定して、図４における経過時間から換算した窓Ｃからの距離Ｘ［ｍ］（すなわち、出入口Ｄを通って店舗Ａに入ってから奥の壁面Ｗ２に向かって移動した距離）を横軸に対応させており、この距離Ｘ［ｍ］が店舗Ａ内の壁面Ｗ１から壁面Ｗ２に向かう動線Ｍ上の移動距離に略等しくなる。そして、窓Ｃからの距離Ｘ［ｍ］が長くなるにつれて緩和照度Ｅは低下しており、窓Ｃからの距離Ｘ［ｍ］の位置における照度が、その位置における緩和照度Ｅ以上となるように、照明器具Ｌａ１〜Ｌａ３を点灯制御すれば、店舗Ａ内での客の視力を維持することができる。すなわち、店舗Ａの出入口Ｄから動線Ｍに沿って店舗Ａの奥に進むにつれて、照度を漸減させればよいといえる。また、昨今の店舗は内装の反射率を低くする傾向があるが、内装の反射率が低くなると、内装の反射率が高い場合に比べて緩和照度Ｅが高くなることが図５から分かる。また、実際の店舗において上記実験を行う際には、店舗内の反射率ρが０．１、０．２、０．５の各値となるように事前に設定した。
【００２１】
図５の元となる式は、順応輝度Ｌａｄ、窓Ｃからの距離Ｘとすると、
Ｌａｄ＝１０＾｛−０．００４５４Ｘ３＋０．０８７９Ｘ２＋０．６７３Ｘ＋ｌｏｇ１０（初期順応照度）｝  ………  （式２）
となり、店舗Ａ内の反射率ρとすると、緩和照度Ｅは、
Ｅ＝πＬａｄ／ρ  ………  （式３）
となる。
【００２２】
そして、店舗Ａ内に入った客が、昼光照度や店舗Ａ内の反射率に応じた順応輝度（図４参照）に順応するために、店舗Ａ内の照度［窓Ｃを通過した昼光による店舗Ａ内の照度＋照明器具Ｌａ１〜Ｌａ３による店舗Ａ内の照度］を、窓Ｃからの距離Ｘに応じた緩和照度Ｅ以上に設定する。すなわち、昼光によって生じる店舗Ａ内の照度と緩和照度Ｅとの差を補うため、店舗Ａ内の照明器具Ｌａ１〜Ｌａ３を調光しており、その概要を図６（ａ）（ｂ）に示す。
【００２３】
図６（ａ）（ｂ）は、昼光による店舗Ａ内の照度曲線Ｙ１、店舗Ａ内の人工照明（照明器具Ｌａ１〜Ｌａ３に相当する）による店舗Ａ内の照度曲線Ｙ２、昼光＋人工照明の照度曲線Ｙｏ（＝Ｙ１＋Ｙ２）、所定の昼光照度の条件下での緩和照度曲線Ｙｅを、店舗Ａ内の窓Ｃからの距離に対応させて各々示している。図６（ａ）は、昼光照度による初期順応輝度が高いので、緩和照度曲線Ｙｅのレベルが高くなり、昼光＋人工照明の照度曲線Ｙｏが緩和照度曲線Ｙｅより低くなっている。特に出入口Ｄ近傍（窓Ｃからの距離Ｘが短い領域）において、昼光＋人工照明の照度が緩和照度Ｅに対して不足している状態であり、客は出入口Ｄから店舗Ａ内に入った瞬間に目の順応が間に合わず、店舗Ａ内が暗いと感じてしまう。
【００２４】
図６（ｂ）は、昼光照度による初期順応輝度が高く、緩和照度曲線Ｙｅのレベルが高くなっているが、店舗Ａ内の人工照明の調光率を高めた結果、昼光＋人工照明の照度曲線Ｙｏが緩和照度曲線Ｙｅより高くなっている。特に出入口Ｄ近傍（窓Ｃからの距離Ｘが短い領域）において、昼光＋人工照明の照度が緩和照度Ｅをほぼ満足しており、客は出入口Ｄから店舗Ａ内に入った瞬間に目の順応が間に合って、店舗Ａ内が暗いと感じることがない。
【００２５】
例えば、図７は、昼光照度が１５０００［ｌｘ］、店舗Ａ内の反射率が０．２の条件下で、上述の照度曲線Ｙ１、Ｙ２、Ｙｏ、Ｙｅを各々示しており、この場合、出入口Ｄ近傍では、緩和照度曲線Ｙｅに対して、昼光＋人工照明の照度曲線Ｙｏの不足照度Ｚ［ｌｘ］が生じており、出入口Ｄ近傍において人工照明の調光率を増大させる必要がある。
【００２６】
而して、店舗Ａ内の照度を、窓Ｃからの距離Ｘに応じた緩和照度Ｅ以上に調整するために、本実施形態の照明制御システムでは図１に示すように、中央制御装置１と点灯制御装置２とで、上記照明器具Ｌａ１〜Ｌａ３を点灯制御する制御手段を構成しており、中央制御装置１には、外光センサ３および出入口部明るさセンサ４を接続し、点灯制御装置２は、中央制御装置１からの指示にしたがって照明器具Ｌａ１〜Ｌａ３への供給電力を各々調整し、調光制御を行う。
【００２７】
まず、外光センサ３は、直射日光を遮った状態で全天空照度を測定し、その測定結果を中央制御装置１へ出力する。または、店舗Ａ周辺の地面の輝度を直接測定してもよい。また、出入口部明るさセンサ４は、店舗Ａの出入口部Ｄ１，Ｄ２における照度を測定し、その測定結果を中央制御装置１へ出力する。
【００２８】
中央制御装置１は、センサ情報受信部１ａと、点灯モード選択部１ｂと、点灯モード管理部１ｃとを備えており、センサ情報受信部１ａが、外光センサ３および出入口部明るさセンサ４の各測定結果を受け取る。点灯モード選択部１ｂは、外光センサ３の測定結果から全天空照度を取得し、さらに予め記憶している店舗Ａ周辺の舗装、建築物の反射率を用いて、上記（式１）に基づく初期順応輝度を算出し、次に上記（式２）に基づいて、窓Ｃからの距離Ｘに応じた順応輝度Ｌａｄを算出し、次に、予め記憶している店舗Ａ内の反射率ρを用いて、窓Ｃからの距離Ｘに応じた緩和照度Ｅを上記（式３）に基づいて算出し、図５に示すような緩和照度曲線を導出する。
【００２９】
そして、点灯モード選択部１ｂは、上記導出した緩和照度曲線に基づいて、出入口部明るさセンサ４の測定結果が、距離Ｘ＝０［ｍ］における緩和照度Ｅ０以上で、且つレジスタＲ近傍の照度がレジスタ操作に適した所定値となるように、照明器具Ｌａ１の調光信号を点灯装置２へ送信する。さらに点灯モード選択部１ｂは、照明器具Ｌａ１の調光状態と出入口部明るさセンサ４の測定結果とに基づいて、照明器具Ｌａ２の調光状態と中央部スペースＢ２の照度との関係、および照明器具Ｌａ３の調光状態と奥部スペースＢ３の照度との関係を推定し、中央部スペースＢ２の照度が、中央部スペースＢ２の最遠距離Ｘ２［ｍ］における緩和照度Ｅ２以上となるように照明器具Ｌａ２の調光信号を点灯制御装置２へ送信し、奥部スペースＢ３の照度が、奥部スペースＢ３の最遠距離Ｘ３［ｍ］における緩和照度Ｅ３以上となるように照明器具Ｌａ３の調光信号を点灯制御装置２へ送信する。ここで、緩和照度曲線（図５参照）は、窓Ｃからの距離Ｘ［ｍ］が遠くなるにつれて低下することから、上記緩和照度Ｅ１，Ｅ２，Ｅ３は、Ｅ１＞Ｅ２＞Ｅ３の関係となる。
【００３０】
そして点灯制御装置２は、照明制御部２ａと、タイマ部２ｂとを備えており、照明制御部２ａは、中央制御装置１から受け取った調光信号に応じて、照明器具Ｌａ１〜Ｌａ３を調光制御する。すなわち、照明器具Ｌａ１によって照明されるレジ部スペースＢ１、照明器具Ｌａ２によって照明される中央部スペースＢ２、照明器具Ｌａ３によって照明される奥部スペースＢ３の各照度は、図８に示すように、レジ部スペースＢ１  →  中央部スペースＢ２  →  奥部スペースＢ３と窓Ｃから離れるにつれて、各スペースの照度は漸減する。なお、図８中のΔＺ１，ΔＺ２，ΔＺ３は、照明器具Ｌａ１，Ｌａ２，Ｌａ３の各調光範囲である。
【００３１】
このように、窓Ｃからの距離Ｘ［ｍ］が遠くなるにつれて緩和照度Ｅは減少していることから、窓Ｃからの距離Ｘ［ｍ］が近い位置に設置された照明器具Ｌａ１の調光率を最も高くすれば（但し、緩和照度Ｅ以上を維持する）、店舗Ａ内の出入口Ｄ周辺の明るさと、店舗Ａ外の明るさとの差が小さくなり、客は出入口Ｄから店舗Ａ内に入った瞬間に目の順応が十分間に合って、店舗Ａ内が暗いと感じることがない。そして、窓Ｃからの距離Ｘ［ｍ］が遠くなるにつれて照明器具Ｌａ１、照明器具Ｌａ２、照明器具Ｌａ３の順に調光率を低くすれば（但し、緩和照度Ｅ以上を維持する）、動線Ｍに沿って店舗Ａの奥に進む客も視力を維持して、陳列スペースＳの商品を見易くなるとともに、省エネルギー化を図ることができる。さらに、外光の影響を考慮して店舗Ａ内の照明器具Ｌａ１〜Ｌａ３を点灯制御するので、客が店舗Ａ内に入った瞬間の目の順応と省エネルギー化とを、さらに精度よく両立することができる。
【００３２】
また、動線Ｍに沿って店舗Ａの奥から窓Ｃに向かう客が、出入口Ｄ付近のレジスタＲで精算を行う際には、窓Ｃからの距離Ｘ［ｍ］が近い位置に設置された照明器具Ｌａ１の調光率を高くして、レジスタＲ近傍の照度をレジスタ操作に適した所定値に維持しているので、レジスタＲを操作する店員の手元が暗くなることなく、レジスタ操作が行い易くなる。
【００３３】
さらに、出入口Ｄから店舗Ａ外へ出る客は、店舗Ａ内の出入口Ｄ周辺の明るさと、店舗Ａ外の明るさとの差が小さいために、客は出入口Ｄから店舗Ａ外に出た瞬間に目の順応が十分間に合って、店舗Ａ外が眩しいと感じることがない。
【００３４】
また、中央制御装置１の点灯モード管理部１ｃは、照明器具Ｌａ１〜Ｌａ３へ供給している電力量を測定しており、電力量の積算値を図示しない表示手段に表示したり、他の電力管理手段に送信する。
【００３５】
さらに、点灯制御装置２のタイマ部２ｂは、照明器具Ｌａ１〜Ｌａ３の点灯制御の開始時刻、終了時刻を設定しており、照明制御部２ａは、タイマ部２ｂで設定された時間帯（例えば、店舗Ａの営業時間帯）で上記点灯制御を行う。
【００３６】
（実施形態２）
図９は、本実施形態の店舗Ａ内における照明器具の配置を示しており、実施形態１と同様の照明器具Ｌａ１，Ｌａ２，Ｌａ３に付加して、レジスタＲ近傍を照明する補助照明器具Ｌａ１０を天井面Ｗ３に設置している。さらに図１０は、本実施形態の照明制御システムの構成を示しており、点灯制御装置２は、補助照明器具Ｌａ１０を点灯制御する補助照明制御部２ｃを備える。なお、他の構成は実施形態１と同様であり、同様の構成には同一の符号を付して説明は省略する。また、本実施形態では、補助照明器具Ｌａ１０に対して、照明器具Ｌａ１，Ｌａ２，Ｌａ３を全般照明器具Ｌａ１，Ｌａ２，Ｌａ３と称す。
【００３７】
まず、中央制御装置１において、点灯モード選択部１ｂは、外光センサ３の測定結果から全天空照度を取得し、さらに予め記憶している店舗Ａ周辺の舗装、建築物の反射率を用いて、上記（式１）に基づく初期順応輝度を算出し、次に上記（式２）に基づいて、窓Ｃからの距離Ｘに応じた順応輝度Ｌａｄを算出し、次に、予め記憶している店舗Ａ内の反射率ρを用いて、窓Ｃからの距離Ｘに応じた緩和照度Ｅを上記（式３）に基づいて算出し、図５に示すような緩和照度曲線を導出する。
【００３８】
そして、点灯モード選択部１ｂは、上記導出した緩和照度曲線に基づいて、出入口部明るさセンサ４の測定結果が、距離Ｘ＝０［ｍ］における緩和照度Ｅ０以上となるように、全般照明器具Ｌａ１の調光信号を点灯装置２へ送信する。さらに点灯モード選択部１ｂは、全般照明器具Ｌａ１の調光状態と出入口部明るさセンサ４の測定結果とに基づいて、全般照明器具Ｌａ２の調光状態と中央部スペースＢ２の照度との関係、および全般照明器具Ｌａ３の調光状態と奥部スペースＢ３の照度との関係を推定し、中央部スペースＢ２の照度が、中央部スペースＢ２の最遠距離Ｘ２［ｍ］における緩和照度Ｅ２以上となるように全般照明器具Ｌａ２の調光信号を点灯制御装置２へ送信し、奥部スペースＢ３の照度が、奥部スペースＢ３の最遠距離Ｘ３［ｍ］における緩和照度Ｅ３以上となるように全般照明器具Ｌａ３の調光信号を点灯制御装置２へ送信する。ここで、緩和照度曲線（図５参照）は、窓Ｃからの距離Ｘ［ｍ］が遠くなるにつれて低下することから、上記緩和照度Ｅ１，Ｅ２，Ｅ３は、Ｅ１＞Ｅ２＞Ｅ３の関係となる。
【００３９】
さらに、点灯モード選択部１ｂは、上記調光された全般照明器具Ｌａ１の光出力と併せて、レジスタＲ近傍の照度が、レジスタ操作に適した所定照度Ｅ１０となるように補助照明器具Ｌａ１０の調光信号を点灯装置２へ送信する。
【００４０】
そして点灯制御装置２では、照明制御部２ａが、中央制御装置１から受け取った調光信号に応じて、全般照明器具Ｌａ１〜Ｌａ３を調光制御する。すなわち、全般照明器具Ｌａ１によって照明されるレジ部スペースＢ１、全般照明器具Ｌａ２によって照明される中央部スペースＢ２、全般照明器具Ｌａ３によって照明される奥部スペースＢ３の各照度は、図１１に示すように、レジ部スペースＢ１  →  中央部スペースＢ２  →  奥部スペースＢ３と窓Ｃから離れるにつれて、各スペースの照度は漸減する。なお、図８中のΔＺ１，ΔＺ２，ΔＺ３は、全般照明器具Ｌａ１，Ｌａ２，Ｌａ３の各調光範囲である。
【００４１】
さらに点灯制御装置２において、補助照明制御部２ｃは、中央制御装置１から受け取った調光信号に応じて、補助照明器具Ｌａ１０を調光制御する。すなわち、補助照明器具Ｌａ１０によって照明されるレジ部スペースＢ１の照度は、図１１に示すように、全般照明器具Ｌａ１の光出力と併せて、レジスタ操作に適した所定照度Ｅ１０に確実に調整される。したがって、全般照明器具Ｌａ１０とは別に補助照明器具Ｌａ１０を調光することによって、レジスタＲを操作する店員の手元が暗くなることなく、レジスタ操作が行い易くなる。
【００４２】
また、窓Ｃからの距離Ｘ［ｍ］が遠くなるにつれて全般照明器具Ｌａ１、全般照明器具Ｌａ２、全般照明器具Ｌａ３の順に調光率を低くすれば（但し、緩和照度Ｅ以上を維持する）、店舗Ａ内の出入口Ｄ周辺の明るさと、店舗Ａ外の明るさとの差が小さくなり、客は出入口Ｄから店舗Ａ内に入った瞬間に目の順応が十分間に合って、店舗Ａ内が暗いと感じることがない。さらには、動線Ｍに沿って店舗Ａの奥に進む客も視力を維持して、陳列スペースＳの商品を見易くなるとともに、省エネルギー化を図ることができる。さらに、出入口Ｄから店舗Ａ外へ出る客は、店舗Ａ内の出入口Ｄ周辺の明るさと、店舗Ａ外の明るさとの差が小さいために、客は出入口Ｄから店舗Ａ外に出た瞬間に目の順応が十分間に合って、店舗Ａ外が眩しいと感じることがない。
【図面の簡単な説明】
【００４３】
【図１】実施形態１の店舗内照明制御システムのブロック構成を示す図である。
【図２】同上の店舗内の配置を示す図である。
【図３】同上の全天空照度の累積出現率を示す図である。
【図４】同上の順応輝度の測定結果を示す図である。
【図５】同上の緩和照度の特性を示す図である。
【図６】（ａ）（ｂ）同上の店舗内の所要照度を示す図である。
【図７】同上の店舗内の所要照度を示す図である。
【図８】同上の店舗内の調光状態を示す図である。
【図９】実施形態２の店舗内の配置を示す図である。
【図１０】同上の店舗内照明制御システムのブロック構成を示す図である。
【図１１】同上の店舗内の調光状態を示す図である。
【符号の説明】
【００４４】
１  中央制御装置
１ａ  センサ情報受信部
１ｂ  点灯モード選択部
２  点灯制御装置
２ａ  照明制御部
２ｂ  タイマ部
３  外光センサ
４  出入口部明るさセンサ
Ｌａ１〜Ｌａ３  照明器具
【図１】
2010033779.tif 000003
【図２】
2010033779.tif 000004
【図３】
2010033779.tif 000005
【図４】
2010033779.tif 000006
【図５】
2010033779.tif 000007
【図６】
2010033779.tif 000008
【図７】
2010033779.tif 000009
【図８】
2010033779.tif 000010
【図９】
2010033779.tif 000011
【図１０】
2010033779.tif 000012
【図１１】
2010033779.tif 000013